(57)【特許請求の範囲】
【請求項１】
既設構造物をアンダーピニングする場合に適用されるパイプルーフ構造であって、
既設構造物の下部地盤を推進する二重管構造のパイプの中間部内に、既設構造物を支持するジャッキを設け、
前記パイプには、上方へ開口して、前記ジャッキにより前記既設構造物を支持する支持部材が突出する開口部が形成され、
前記パイプ内にコンクリートが打設され、そのコンクリートと前記支持部材との間に前記ジャッキが設置されていることを特徴とするパイプルーフ構造。
【請求項２】
請求項１に記載のパイプルーフ構造を構築するためのパイプルーフ工法において、
既設構造物の下部地盤に二重管構造のパイプを推進する第１工程と、
推進後の前記パイプ内に前記既設構造物を支持する支持部材及びその支持部材を支持するジャッキを設置する第２工程と、
前記既設構造物の下部地盤を掘削する第３工程と、を備え、
前記第１工程では、前記パイプの側面であって前記支持部材が突出する開口部に仮蓋を設置した状態とし、
前記第２工程では、前記仮蓋を撤去するとともに、前記パイプの内部であって前記開口部の下方にコンクリートを打設し、そのコンクリートと前記支持部材との間に前記ジャッキを設置し、
前記第３工程では、前記ジャッキの反力がほぼ一定となるように、前記ジャッキを調整することを特徴とするパイプルーフ工法。
【発明の詳細な説明】
【０００１】
【発明の属する技術分野】
本発明は、パイプルーフ構造およびパイプルーフ工法に係り、詳細には、プレロードジャッキを内部に有するパイプルーフ構造、およびこれを構築するためのパイプルーフ工法に関する。
【０００２】
【従来の技術】
従来、べた基礎形式の構造物をパイプルーフ工法によりアンダーピニングする場合には、既設構造物を支持するための支持杭が新たに施工される。
【０００３】
例えば、図３に示すように、地下既設構造物３（例えば地下鉄など）の下方のパイプルーフ１は、支持フレーム４を介して、基礎杭５により支持されている。既設構造物３の構造安定を確保するため、既設構造物３の両サイドと、パイプルーフ１の中間部とに支持杭が施工されている。
【０００４】
【発明が解決しようとする課題】
しかし、従来のパイプルーフ工法では、既設構造物３の直下に支持杭を施工する必要があったため、先進導坑の掘削、土留め、基礎杭５の施工および受け替えが閉所作業となり、施工性が悪い、という問題があった。
【０００５】
また、先進導坑掘削による既設構造物３への影響を軽減するために、高強度の地盤改良工（例えば、水平方向の高圧噴射攪拌工法など）が必要であったため、経済性が悪い、という問題もあった。
【０００６】
本発明の課題は、既設構造物直下の支持杭を省略できるパイプルーフ構造およびパイプルーフ工法を提供することである。
【０００７】
【課題を解決するための手段】
以上の課題を解決するため、本発明は、例えば図１に示すように、既設構造物３をアンダーピニングする場合に適用されるパイプルーフ構造であって、既設構造物３の下部地盤に推進するパイプ１０の中間部内に、既設構造物３を支持するジャッキ２を設けることを特徴とする。
【０００８】
本発明によれば、既設構造物を支持するジャッキの反力を調節して、既設構造物の支持安定性を確保できる。このため、既設構造物の両サイドで構造物を先受けし、構造物直下においてはジャッキにより支持できるので、既設構造物直下の支持杭を省略できる。
【０００９】
従って、先進導坑の掘削、土留め、および先進導坑内での基礎杭の施工、構造物の基礎杭受け替えなどの閉所作業を省略できる。
また、先進導坑施工を省略できるので、高強度の地盤改良工が不要となる。したがって、例えば止水薬液注入工法などの地盤改良工のみで十分対応でき、補助工法に関してコストダウンを図れる。
【００１０】
本発明は、本発明のパイプルーフ構造において、例えば図２に示すように、パイプ１０は二重管であることを特徴とする。
【００１１】
本発明によれば、パイプが二重管であるので、よりジャッキの反力に耐える構成にできる。また、二重管の外管と内管との間の空隙を、モルタル、コンクリートなどの充填材により充填して、パイプの強度を高められる。
【００１２】
本発明は、本発明のパイプルーフ構造において、パイプ１０には、上方へ開口して、ジャッキ２により既設構造物３を支持する支持部材３２が突出する開口部１６が形成されていることを特徴とする。
【００１３】
本発明によれば、開口部が形成されているので、パイプ内に設置するジャッキにより、開口部より突出する支持部材を介して既設構造物を支持できる。
【００１４】
本発明は、本発明のパイプルーフ構造において、パイプ１０内に打設したコンクリート１４上にジャッキ２が設置されていることを特徴とする。
【００１５】
本発明によれば、開口部が形成されたパイプの強度を、コンクリートにより補強できる。
【００１６】
本発明は、本発明のパイプルーフ構造を構築するためのパイプルーフ工法において、既設構造物３の下部地盤にパイプ１０を推進する第１工程と、推進後のパイプ１０内にジャッキ２を設置する第２工程と、既設構造物３の下部地盤を掘削する第３工程と、を備え、第３工程では、パイプ１０内に設置される各ジャッキ２の反力がほぼ一定となるように、各ジャッキ２を調整することを特徴とする。
【００１７】
ここで、各ジャッキの調整は、集中制御などにより管理される。また、計測工を併用して、構造物への影響度にしたがって、各ジャッキの調整を行うものとしても良い。
【００１８】
本発明によれば、既設構造物の下部地盤を掘削する際に、構造物の支持安定性を保つことができる。
【００１９】
本発明は、本発明のパイプルーフ構造を構築するためのパイプルーフ工法において、既設構造物３の下部地盤にパイプ１０を推進する第１工程と、推進後のパイプ１０内にジャッキ２を設置する第２工程と、を備え、第１工程時には、パイプ１０の開口部１６に仮蓋を設置した状態とし、第２工程時には、開口部１６から仮蓋を撤去した状態とすることを特徴とする。
【００２０】
本発明によれば、第１工程において、従来のパイプ推進作業と同様にして、開口部が形成されたパイプを推進設置できる。また、第２工程において、仮蓋を撤去するのみで、容易にパイプに開口部を設けられる。
【００２１】
【発明の実施の形態】
以下、図を参照して本発明の実施の形態を詳細に説明する。
【００２２】
まず、構成を説明する。
図１に示すように、本発明を適用した一実施の形態のパイプルーフ構造は、既設構造物３のアンダーピニングに適用されている。既設構造物３の両サイドは、支持フレーム４を介して、基礎杭５により支持されている。パイプルーフを構成するパイプ１０の中間部内には、ジャッキ２が設けられている。ジャッキ２により、既設構造物３が下方から支持されている。
【００２３】
図２に示すように、既設構造物３の底版３１は、支持部材３２を介して、パイプ１０内に設けられたジャッキ２により支持されている。ここで、図２は、パイプ１０の要部断面図である。
【００２４】
パイプ１０は、二重管である。外管１１、内管１２の直径は、例えば、それぞれ、１２００mm、１１００mmである。外管１１と内管１２との間の空隙には、例えば、モルタル、コンクリートなどの充填材１３が充填されている。
【００２５】
パイプ１０のジャッキ設置位置には、上方に開口する開口部１６が形成されている。開口部１６周りには、補強リブ１５ａ、１５ｂが形成されており、開口部１６が補強されている。また、パイプ１０内の下部には、コンクリート１４が打設されている。
【００２６】
パイプ１０内のコンクリート１４上に、ジャッキ２が設置されている。ジャッキ２には、例えば三枚のフラットジャッキが用いられるが、これに限らず、油圧ジャッキなどを用いても良い。また、ジャッキ２により、鋼材ブロックなどの支持部材３２が、開口部１６から上方へ突出して設置されている。支持部材３２は、既設構造物３の底版３１を支持している。
【００２７】
次に、本実施の形態のパイプルーフ工法を説明する。
【００２８】
まず、基礎杭５の施工位置周辺において、地盤改良工を行う。その後、既設構造物３の両サイドに、基礎杭５を施工し、支持フレーム４を建て込む。既設構造物３の両側において、立坑部を掘削し、土留め施工および基礎コンクリート打設を行う。
次に、ルーフパイプおよびサイドパイプを打設する位置に、薬液注入する。
【００２９】
次に、ルーフパイプ位置に、パイプ１０の開口部１６に仮蓋をした状態で、パイプ１０を推進する。このとき、パイプ１０の開口部１６の位置を、ジャッキアップ位置に合わせる。
【００３０】
パイプ１０推進完了後、パイプ１０内にコンクリート１４を打設し、コンクリート１４上にジャッキ２を設置する。仮蓋を撤去し、支持部材３２を介して既設構造物３の底版３１を下方から支持する。
【００３１】
その後、サイドパイプを推進する。全てのパイプの貫入が終了した後、既設構造物３の下部地盤を掘削する。必要に応じて、止水薬液注入を追加施工する。地盤掘削時においては、ルーフパイプ内のパイプ１０に設置された各ジャッキ２の圧力を、集中制御により管理し、一定に保つ。また、計測工の併用により、構造物への影響を管理する。
【００３２】
以上のように、既設構造物３の下部地盤に推進するパイプ１０の中間部内に、既設構造物３を支持するジャッキ２が設けられているので、ジャッキ２の反力を調節して、既設構造物３の支持安定性を確保できる。このため、構造物をジャッキ２により支持でき、既設構造物３直下の支持杭を省略できる。
【００３３】
従って、先進導坑の掘削、土留め、および先進導坑内での基礎杭の施工、構造物の基礎杭受け替えなどの閉所作業を省略できる。また、施工工程数を少なくできる。
【００３４】
また、先進導坑施工を省略できるので、従来と異なり、高強度の地盤改良工が不要となる。従って、止水薬液注入工法などの地盤改良工のみで十分対応でき、補助工法に関してコストダウンを図れる。
【００３５】
また、パイプ１０は二重管であるので、よりジャッキ２の反力に耐える構成にできる。また、外管１１と内管１２との間に充填された充填材１３により、パイプ１０の剛性を強くできる。また、パイプ１０内に打設したコンクリート１４により、開口部１６が形成されたパイプ１０の強度を補強できる。
【００３６】
また、既設構造物３の下部地盤を掘削する際、パイプ１０内に設置される各ジャッキ２の反力がほぼ一定となるように調整されるので、構造物の支持安定性を確保できる。
【００３７】
また、パイプ１０の推進時には、パイプ１０の開口部１６に仮蓋を設置するので、開口部のない従来のパイプを推進する作業と同様にして、開口部１６が形成されたパイプ１０を推進設置できる。また、パイプ１０推進後、仮蓋を撤去する作業のみで、容易にパイプ１０に開口部１６を設けられる。
【００３８】
なお、以上の実施の形態においては、パイプ１０が二重管であるものとしたが、本発明はこれに限定されるものではなく、一重のパイプを用いるものとしてもよい。
【００３９】
【発明の効果】
本発明によれば、パイプルーフ工法によりアンダーピニングする場合において、既設構造物直下の支持杭を省略できる。したがって、先進導坑の掘削、土留め、および先進導坑内での基礎杭の施工、構造物の基礎杭受け替えなどの閉所作業を省略できる。また、高強度の地盤改良工が不要となり、補助工法に関してコストダウンを図れる。
【００４０】
本発明によれば、パイプを、よりジャッキの反力に耐える構成にできる。
【００４１】
本発明によれば、パイプ内に設置するジャッキにより、支持部材を介して既設構造物を支持できる。
【００４２】
本発明によれば、開口部が形成されたパイプの強度を、コンクリートにより補強できる。
【００４３】
本発明によれば、既設構造物の下部地盤を掘削する際に、構造物の支持安定性を保つことができる。
【００４４】
本発明によれば、従来のパイプ推進作業と同様にして、開口部が形成されたパイプを推進設置できる。また、仮蓋を撤去する作業のみで、容易にパイプに開口部を設けられる。
【図面の簡単な説明】
【図１】本発明を適用した一実施の形態のパイプルーフ構造の構成を示す断面図である。
【図２】図１のパイプおよびジャッキの構成を示す断面図である。
【図３】従来のパイプルーフ構造の構成を示す断面図である。
【符号の説明】
２    ジャッキ
３    既設構造物
１０  パイプ
１４  コンクリート
１６  開口部
３２  支持部材
【図１】
0004302274.tif 000002
【図２】
0004302274.tif 000003
【図３】
0004302274.tif 000004